(57)【特許請求の範囲】
【請求項１】
制御信号を生成して、生成した制御信号を対向装置に送信する通信部を備える通信装置の電源供給制御装置において、
供給される電圧を上記通信部の使用電圧に調整して上記通信部に供給する電圧調整部と、
上記電圧調整部に電圧を供給する電源経路を、通常時には外部電源からの供給電圧を上記電圧調整部に供給する通常経路に切替え、上記外部電源が電源断すると、予備電源部からの供給電圧を上記電圧調整部に供給する予備電源経路に切り替える電源経路切替部と、
上記電源経路切替部から上記電圧調整部に供給される電圧状態を検出する第１の検出部と、
上記予備電源部から供給される電圧状態を検出する第２の検出部と、
上記第１の検出部による検出結果と、上記第２の検出部による検出結果とに基づいて、上記予備電源部の動作を制御する動作制御部と
を備えることを特徴とする電源供給制御装置。
【請求項２】
上記第１の検出部が上記外部電源の電源断を検出せず、かつ上記第２の検出部が上記予備電源部の電圧降下を検出すると、上記通信部に上記制御信号を上記対向装置に送信させ、
上記第１の検出部が、上記制御信号の送信後に上記電圧調整部に供給される電圧値が上記電圧調整部が上記通信部の使用電圧に調整可能な電圧値であることを検出した場合に、上記動作制御部が上記予備電源部の動作を停止させる
ことを特徴とする請求項１に記載の電源供給制御装置。
【請求項３】
上記第１の検出部が上記外部電源の電源断を検出したことに基づいて上記電源経路切替部が上記予備電源経路に切り替えるとともに、上記通信部に上記制御信号を上記対向装置に送信させ、
上記第１の検出部が、上記制御信号の送信後に上記電圧調整部に供給される電圧値が上記電圧調整部が上記通信部の使用電圧に調整可能な電圧値であることを検出した場合に、上記動作制御部が上記予備電源部の動作を停止させる
ことを特徴とする請求項１に記載の電源供給制御装置。
【請求項４】
制御信号を生成して、生成した制御信号を対向装置に送信する通信部を備える通信装置におけるコンピュータを、
供給される電圧を上記通信部の使用電圧に調整して上記通信部に供給する電圧調整部と、
上記電圧調整部に電圧を供給する電源経路を、通常時には外部電源からの供給電圧を上記電圧調整部に供給する通常経路に切替え、上記外部電源が電源断すると、予備電源部からの供給電圧を上記電圧調整部に供給する予備電源経路に切り替える電源経路切替部と、
上記電源経路切替部から上記電圧調整部に供給される電圧状態を監視する第１の監視部と、
上記予備電源部から供給される電圧状態を監視する第２の監視部と、
上記第１の監視部による監視結果と、上記第２の監視部による監視結果とに基づいて、上記予備電源部の動作を制御する動作制御部と
して機能させることを特徴とする電源供給制御プログラム。
【請求項５】
制御信号を生成して、生成した制御信号を対向装置に送信する通信部と、
上記通信部への供給電力を制御するものであって、請求項１〜３のいずれかに記載の電源供給制御装置としての電源供給制御部と
を備えることを特徴とする通信装置。
【発明の詳細な説明】
【技術分野】
【０００１】
本発明は、電源供給制御装置、電源供給制御プログラム及び通信装置に関し、例えば、光通信システムを構成する通信装置に適用し得るものである。
【背景技術】
【０００２】
例えば、ＰＯＮ（Ｐａｓｓｉｖｅ  Ｏｐｔｉｃａｌ  Ｎｅｔｗｏｒｋ）システム等を構成するＯＮＵ装置（Ｏｐｔｉｃａｌ  Ｎｅｔｗｏｒｋ  Ｕｎｉｔ：光回線終端装置）において、電源断が生じた場合、ＯＮＵ装置は、ＯＬＴ装置（Ｏｐｔｉｃａｌ  Ｌｉｎｅ  Ｔｅｒｍｉｎａｌ）に電源断であることを知らせるために、Ｄｙｉｎｇ  Ｇａｓｐという制御信号（以下、Ｄｙｉｎｇ  Ｇａｓｐ信号）を生成し、Ｄｙｉｎｇ  Ｇａｓｐ信号をＯＬＴ装置に通知する（特許文献１参照）。
【０００３】
電源遮断前に、ＯＮＵ装置は予備電力を充電しておく。電源断が検知されると、ＯＮＵ装置は、充電した予備電力を用いて、Ｄｙｉｎｇ  Ｇａｓｐ信号を生成し、Ｄｙｉｎｇ  Ｇａｓｐ信号をＯＬＴ装置に通知している。
【０００４】
近年、通信機器は、低消費電力化や、例えばバッテリーを用いたＵＳＢ（Ｕｎｉｖｅｒｓａｌ  Ｓｅｒｉａｌ  Ｂｕｓ）からの給電等のように、停電等の緊急時の電力供給を目的とした低電圧化が求められている。ＯＮＵ装置も、上記のような通信機器と同様に、低消費電力化や低電圧化が求められている。
【０００５】
ＯＮＵ装置において、Ｄｙｉｎｇ  Ｇａｓｐ信号を通知するための予備電源ンとしての充電デバイスは、例えばコンデンサ等を使用している。
【０００６】
上述した低電力化に伴い、ＯＮＵ装置への供給電圧が低電圧である場合、充電デバイスへの供給電力が小さくなり、Ｄｙｉｎｇ  Ｇａｓｐ信号を通知するために必要な電力が不足するという問題がある。
【０００７】
上記のような課題の解決方法として、以下のような種々の方法が考えられる。
【０００８】
例えば、ＯＮＵ装置に搭載されるコンデンサ等の充電デバイスの数量を増やしたり、充電デバイスの容量を増大したりする方法である。しかし、この方法は、部品コストの増加、構成部品数の増加の影響により、基板面積が増加し、コストが増大する等の問題がある。
【０００９】
また例えば、図２に例示するように、昇圧電源回路部を設ける方法がある。図２に例示する電源供給装置は、ＯＮＵ装置への供給電圧２１が、昇圧電源回路部２２に供給される。昇圧電源回路部２２により供給電圧は昇圧され、その昇圧された電力が充電デバイス２３に供給される。これにより、充電デバイス２３は必要な電力を充電する。ここで、昇圧電源回路部２２は、その構成部品として、例えば、昇圧電源ＩＣ、ＦＥＴ（Ｆｉｅｌｄ  Ｅｆｆｅｃｔ  Ｔｒａｎｓｉｓｔｏｒ）などのトランジスタやインダクタ、コンデンサなどの周辺部品が必要になる。従って、図２に例示する電源供給装置は、部品数やコストが増大してしまう。また、供給電圧２１は、昇圧電源回路部２２の電源効率と、一度昇圧した電力を電気回路部２５で使用するために必要な電力に降圧する降圧電源回路部２４の電源効率との２回の変換効率が加算される。そのため、ＯＮＵ装置全体の電源効率が低下し、低消費電力を実現することができない。
【００１０】
さらに例えば、コスト増大の改善や低消費電力の実現のため、図３のように経路切替回路部を備える電源供給装置もある（特許文献２参照）。
【００１１】
図３に例示する方法は、供給電圧３１を電気回路部３５で使用する電圧へと降圧する降圧電源回路部３４へ供給する経路ａと、昇圧電源回路部３２を通して昇圧した電圧を充電デバイス３３に充電して、その後、昇圧した電圧を電気回路部３５で使用する電圧へと降圧する降圧電源回路部３４へ供給する経路ｂとを持つ。通常動作時においては、経路切替回路部３６は経路ａに切り替え、経路ａを経由して低電圧の電源電力が給電される。一方、Ｄｙｉｎｇ  Ｇａｓｐ信号を通知するときのみ、経路切替回路部３６は経路ｂに切り替え、経路ｂを経由して充電デバイス３３から昇圧している電源電力が給電される。
【００１２】
図３に例示する方法を用いることにより、通常動作時には昇圧電源回路部３２を経由しない電源供給によって電源回路部の効率を低下させることなく低消費電力を実現できる。また、Ｄｙｉｎｇ  Ｇａｓｐ信号の通知時に充電デバイス３３に昇圧された電圧で充電されている電源へ切替えることによって、充電デバイス３３の部品を搭載する数量を増加させることなくＤｙｉｎｇ  Ｇａｓｐ信号の送受信に必要な電力を確保し、処理が可能となる。
【００１３】
また、図３に例示する方法において、昇圧電源回路部３２は充電デバイス３３への充電のみが目的であり、降圧電源回路部３４へ直接電源供給をする必要がない。そのため、生成可能な電流値の小さい回路部を採用することができ、昇圧電源回路部３２は、小電流の昇圧電源ＩＣ、ＦＥＴなどのトランジスタやインダクタやコンデンサなどの部品を削減でき、部品面積を小さくでき、コストを削減できる。
【先行技術文献】
【特許文献】
【００１４】
【特許文献１】特開２０１３−１７２４０４号公報
【特許文献２】特開２００６−３３４１５号公報
【発明の概要】
【発明が解決しようとする課題】
【００１５】
しかしながら、低電力化を実現するため、上述したような経路切替回路部を用いた電源供給装置は、経路切替回路部の構成部品に故障が生じたときに、その故障の早期検出が困難である。経路切替回路部が故障したときに、例えば以下のように昇圧電源回路部に負荷が生じ、安全面に影響を及ぼすおそれが生じ得るという問題がある。
【００１６】
例えば、通常動作時に、経路切替回路部３６が経路ａに接続した状態で、経路ｂがショート故障し、経路ａ及び経路ｂの両方が経路切替回路部３６に接続することがある。この場合、経路ａの電圧値よりも、経路ｂの電圧値のほうが高くなる。そうすると、経路ｂの昇圧電源回路部３２から充電デバイス３３を通して、降圧電源回路部３４に電源電圧が供給されつづけてしまう。このような場合、充電デバイス３３への充電のみが目的であった昇圧電源回路部３２は、通常想定していなかったＯＮＵ装置の動作電力として稼動することになる。降圧電源回路部３４は、経路ａ又は経路ｂのいずれの経路からの電力供給でも動作する回路部である。経路切替回路部３６が経路ａ、経路ｂのいずれか又は両方から電力が供給されても、降圧電源回路部３４は動作を継続する必要がある。そのような場合、経路切替回路部３６の故障を検出できないまま、ＯＮＵ装置が動作を継続することで、昇圧電源回路部３２に過度な負荷が生じてしまう。そうすると、昇圧電源回路部３２の構成部品が発熱したり、発煙したりするなど、安全性に問題が生じるおそれが生じ得る。
【００１７】
そこで、上記課題に鑑み、本発明は、経路切替回路部を用いて電源供給を制御する場合、経路切替回路部の故障検出を低コストで実現し、かつ、故障時に安全に停止しようとするものである。
【課題を解決するための手段】
【００１８】
かかる課題を解決するために、第１の本発明に係る電源供給制御装置は、制御信号を生成して、生成した制御信号を対向装置に送信する通信部を備える通信装置の電源供給制御装置において、（１）供給される電圧を通信部の使用電圧に調整して通信部に供給する電圧調整部と、（２）電圧調整部に電圧を供給する電源経路を、通常時には外部電源からの供給電圧を電圧調整部に供給する通常経路に切替え、外部電源が電源断すると、予備電源部からの供給電圧を電圧調整部に供給する予備電源経路に切り替える電源経路切替部と、（３）電源経路切替部から電圧調整部に供給される電圧状態を検出する第１の検出部と、（４）予備電源部から供給される電圧状態を検出する第２の検出部と、（５）第１の検出部による検出結果と、第２の検出部による検出結果とに基づいて、予備電源部の動作を制御する動作制御部とを備えることを特徴とする。
【００１９】
第２の本発明に係る電源供給制御プログラムは、制御信号を生成して、生成した制御信号を対向装置に送信する通信部を備える通信装置におけるコンピュータを、（１）供給される電圧を通信部の使用電圧に調整して通信部に供給する電圧調整部と、（２）電圧調整部に電圧を供給する電源経路を、通常時には外部電源からの供給電圧を電圧調整部に供給する通常経路に切替え、外部電源が電源断すると、予備電源部からの供給電圧を電圧調整部に供給する予備電源経路に切り替える電源経路切替部と、（３）電源経路切替部から電圧調整部に供給される電圧状態を監視する第１の監視部と、（４）予備電源部から供給される電圧状態を監視する第２の監視部と、（５）第１の監視部による監視結果と、第２の監視部による監視結果とに基づいて、予備電源部の動作を制御する動作制御部として機能させることを特徴とする。
【００２０】
第３の本発明に係る通信装置は、制御信号を生成して、生成した制御信号を対向装置に送信する通信部と、通信部への供給電力を制御するものであって、第１の本発明に係る電源供給制御装置としての電源供給制御部とを備えることを特徴とする。
【発明の効果】
【００２１】
本発明によれば、経路切替回路部を用いて電源供給を制御する場合、経路切替回路部の故障検出を低コストで実現し、かつ、故障時に安全に停止できる。
【図面の簡単な説明】
【００２２】
【図１】第１の実施形態に係るＯＮＵ装置の内部構成と、ＯＮＵ装置の接続構成とを示す構成図である。
【図２】従来の電源供給装置の構成を示す構成図である（その１）。
【図３】従来の電源供給装置の構成を示す構成図である（その２）。
【図４】第１の実施形態に係る電源供給制御装置１０における電源供給制御処理の動作を示すフローチャートである。
【図５】第２の実施形態に係るＯＮＵ装置の内部構成と、ＯＮＵ装置の接続構成とを示す構成図である。
【図６】第２の実施形態に係る電源供給制御装置１０における電源供給制御処理の動作を示すフローチャートである。
【発明を実施するための形態】
【００２３】
（Ａ）第１の実施形態
以下では、本発明に係る電源供給制御装置、電源供給制御プログラム及び通信装置の第１実施形態を、図面を参照しながら詳細に説明する。
【００２４】
第１の実施形態では、光通信システムを構成する光通信装置としてのＯＮＵ装置に搭載される電源供給制御装置に、本発明を適用する場合を例示する。
【００２５】
（Ａ−１）第１の実施形態の構成
図１は、第１の実施形態に係るＯＮＵ装置の内部構成と、ＯＮＵ装置の接続構成とを示す構成図である。
【００２６】
図１において、ＯＮＵ装置１は、例えば光ファイバ等の光回線を介してＯＬＴ装置２と接続可能なものであり、また例えば通信回線を介して加入者端末３と接続可能なものである。
【００２７】
例えば、ＯＮＵ装置１及びＯＬＴ装置２はＰＯＮシステムを構成する光信号終端装置である。ＯＬＴ装置２はＯＮＵ装置１に対する親局装置であり、ＯＮＵ装置１はＯＬＴ装置２に対する子局装置である。ＯＮＵ装置１は、ＰＯＮシステムを実現するために、所定の制御信号を対向装置としてのＯＬＴ装置２に送信する。
【００２８】
図１において、ＯＮＵ装置１は、外部電源１０１から電源供給を受けて動作するものであり、電源供給制御装置１０、ＯＮＵ装置１の機能を制御する制御部としての電気回路部１０９、光送受信回路部１１２、ＬＡＮ  Ｉ／Ｆ部１１３を有する。
【００２９】
外部電源１０１は、ＯＮＵ装置１に電源電力を供給するものである。この実施形態では、低電圧化を図るために、外部電源１０１は、電圧値の低い電源電圧をＯＮＵ装置１に供給する場合を想定して説明する。例えば、外部電源１０１は、バッテリーを用いたＵＳＢ端子からの給電等を適用できる。
【００３０】
光送受信回路部１１２は、光回線と接続しており、降圧電源回路部１０５から電源供給を受けて、データ信号や制御信号等を含む光信号を送受信する通信インタフェース部である。
【００３１】
ＬＡＮ  Ｉ／Ｆ部１１３は、通信回線と接続しており、降圧電源回路部１０５から電源供給を受けて、データ信号や制御信号等を含む信号を送受信する通信インタフェース部である。
【００３２】
電気回路部１０９は、ＯＮＵ装置１の制御処理を行なう制御部である。電気回路部１０９は、ＬＳＩやＩＣ等のハードウェアであり、降圧電源回路部１０５から電源供給を受けて制御動作を行う。電気回路部１０９は、制御信号発生部１１０と、Ｉ／Ｆ制御部１１１とを有する。制御信号発生部１１０は、ＯＬＴ装置２との間の光通信処理に係る制御信号を生成するものである。電源断が検知されたときに、制御信号発生部１１０は、電源断の旨をＯＬＴ装置２に通知するために、Ｄｙｉｎｇ  Ｇａｓｐ信号を生成する。Ｉ／Ｆ制御部１１１は、光送受信回路部１１２やＬＡＮ  Ｉ／Ｆ部１１３との間で、ＯＮＵ装置１の通常の通信に係る信号（データ）および制御信号の授受を行う通信インタフェースの信号処理機能及び制御機能を有する機能部である。
【００３３】
また、図１に示すように、ＯＮＵ装置１の電源供給制御装置１０は、昇圧電源部としての昇圧電源回路部１０２、予備電源１０３、電源経路切替部としての経路切替回路部１０４、電圧調整部としての降圧電源回路部１０５、第１の電圧監視回路部１０６、第２の電圧監視回路部１０７、動作制御部としての予備電源制御部１０８を有する。
【００３４】
経路切替回路部１０４は、通常動作時に、外部電源１０１からの電源供給経路ｃ（以下、「経路ｃ」と呼ぶ。）に切り替え、また例えば停電などの外部電源断等の異常検出時には電源供給経路ｄ（以下、「経路ｄ」と呼ぶ。）に切り替える。「経路ｃ」は、外部電源１０１からの供給電圧（供給電力）が経路切替回路部１０４に供給される経路である。「経路ｄ」は、外部電源１０１からの供給電圧が昇圧電源回路部１０２に供給され、昇圧電源回路部１０２及び予備電源１０３を経由して電源電圧が経路切替回路部１０４に供給される経路である。外部電源１０１は低電圧を供給するため、経路ｃの電圧値は低電圧となる。一方、昇圧電源回路部１０２により昇圧されるため、経路ｄの電圧値は経路ｃよりも高い電圧となる。
【００３５】
経路切替回路部１０４は、外部電源１０１からの電源断を検知する電源断検知部１０４ａを有する。通常動作時には、経路切替回路部１０４は、経路ｃとの接続に切り替えており、経路ｃを経由して供給された電源電圧を降圧電源回路部１０５に供給する。
【００３６】
また、電源断検知部１０４ａが電源断を検知すると、経路切替回路部１０４は、経路ｃから経路ｄへの接続に切り替える。そして、Ｄｙｉｎｇ  Ｇａｓｐ信号の生成及び送信のために、予備電源１０３により充電されている電力が経路切替回路部１０４に供給され、予備電源１０３からの電力が降圧電源回路部１０５に与えられる。
【００３７】
昇圧電源回路部１０２は、外部電源１０１からの供給電圧を昇圧して予備電源１０３に供給する回路である。低電力化のために、外部電源１０１からの供給電圧を低くすることが望まれているため、予備電源１０３へ供給される電圧を上げるために、昇圧電源回路部１０２は供給電圧を昇圧する。昇圧電源回路部１０２は、既存の回路構成のものを適用することができ、例えば、昇圧電源ＩＣ、ＦＥＴなどのトランジスタやインダクタやコンデンサなどの回路素子から構成される。
【００３８】
予備電源１０３は、例えば外部電源断等のような異常検出時に、ＯＮＵ装置１に搭載される電気デバイス（例えば、電気回路部１０９、光送受信回路部１１２、ＬＡＮ  Ｉ／Ｆ部１１３等；以下、各デバイスとも呼ぶ。）に電力を供給する。予備電源１０３は、外部電源断が検知されたときに、Ｄｙｉｎｇ  Ｇａｓｐ信号の生成及び送信に必要な電力を充電する充電デバイスである。予備電源１０３は、昇圧電源回路部１０２により電圧値を昇圧した電圧が供給され、所定の予備電力値を充電する。予備電源１０３は、充電機能を有するものであれば、例えばコンデンサ、二次電池などを適用できる。
【００３９】
降圧電源回路部１０５は、経路切替回路部１０４により切り替えられた電源経路を通じて供給される電力を降圧して、各デバイス（例えば電気回路部１０９、光送受信回路部１１２、ＬＡＮ  Ｉ／Ｆ部１１３）に供給する。降圧電源回路部１０５は、各デバイスの使用電圧に調整して供給するためのものである。降圧電源回路部１０５は、既存の回路構成を適用することができ、例えば、降圧電源ＩＣ、ＦＥＴなどのトランジスタやインダクタやコンデンサなどの回路素子から構成される。
【００４０】
第１の電圧監視回路部１０６は、降圧電源回路部１０５への供給電力状態を監視し、その監視結果を予備電源制御部１０８及び制御信号発生部１１０に与える。各デバイス（特に電気回路部１０９）の仕様範囲外の電圧の電圧値が各デバイス（特に電気回路部１０９）に供給されて誤動作しないようにするため、第１の電圧監視回路部１０６は、降圧電源回路部１０５に供給される電圧値が、降圧電源回路部１０５からの供給電圧の電圧値が各デバイスの使用電圧以上の電圧値となるような電圧値であるか否かを判断する。
【００４１】
第２の電圧監視回路部１０７は、昇圧電源回路部１０２からの供給電力状態を監視し、その監視結果を予備電源制御部１０８及び制御信号発生部１１０に与える。第２の電圧監視回路部１０７は、昇圧電源回路部１０２からの供給電圧値の低下（すなわち、電圧降下）を判断する。
【００４２】
予備電源制御部１０８は、論理回路からなるものであり、第１の電圧監視回路部１０６の監視結果と、第２の電圧監視回路部１０７の監視結果とに基づいて、昇圧電源回路部１０２の動作を制御するものである。なお、予備電源制御部１０８の処理の詳細な説明は後述する。
【００４３】
（Ａ−２）電源供給制御装置１０の構成の詳細説明
図１において、ＯＮＵ装置１は、低電圧の供給電圧が外部電源１０１から供給される。
【００４４】
ＯＮＵ装置１における通常動作時は、経路切替回路部１０４により経路ｃの接続に切り替らえている。外部電源１０１からの供給電圧は、経路ｃを経由して、降圧電源回路部１０５に供給される。供給電圧は降圧電源回路部１０５により降圧されて、降圧された電力が、電気回路部１０９、光送受信回路部１１２及びＬＡＮ  Ｉ／Ｆ部１１３に供給される。
【００４５】
また、通常動作時に（つまり、電源断前に）、ＯＮＵ装置１がＯＬＴ装置２に通知するＤｙｉｎｇ  Ｇａｓｐ信号を生成及び送信することに備えて、昇圧電源回路部１０２によって昇圧された電力が予備電源１０３に供給され、予備電源１０３が電力を充電しておく。
【００４６】
ＯＮＵ装置１において電源断が発生した場合、経路切替回路部１０４により経路ｃから経路ｄに接続が切り替えられる。そして、予備電源１０３からの電圧が、経路ｄを経由して、降圧電源回路部１０５に供給される。これにより、電源断が生じたときでも、Ｄｙｉｎｇ  Ｇａｓｐ信号の生成及び送信に必要な電力が、継続して、電気回路部１０９、光送受信回路部１１２及びＬＡＮ  Ｉ／Ｆ部１１３に供給される。
【００４７】
このとき、第２の電圧監視回路部１０７は、経路ｄの予備電源１０３からの供給電圧値の低下を監視している。つまり、昇圧電源回路部１０２の電圧降下を監視して、その監視結果が制御信号発生部１１０及び予備電源制御部１０８に通知される。
【００４８】
制御信号発生部１１０は、第２の電圧監視回路部１０７からの電圧降下の検知信号が与えられると、Ｄｙｉｎｇ  Ｇａｓｐ信号を生成する。その生成されたＤｙｉｎｇ  Ｇａｓｐ信号は、Ｉ／Ｆ制御部１１１を介して光送受信回路部１１２に与えられる。そして、Ｄｙｉｎｇ  Ｇａｓｐ信号を含む光信号が、ＯＬＴ装置２に送信される。
【００４９】
また、降圧電源回路部１０５が、電気回路部１０９、光送受信回路部１１２及びＬＡＮ  Ｉ／Ｆ部１１３で必要な電圧値を生成できない場合、電気回路部１０９の誤動作が生じ得る。そのため、第１の電圧監視回路部１０６は、降圧電源回路部１０５への供給電圧を監視し、例えば降圧電源回路部１０５への供給電圧値が各デバイスの使用電圧値未満であるなど、降圧電源回路部１０５が各デバイスで使用する電圧を正常に生成できない場合に、各デバイス（特に電気回路部１０９）の動作を停止させる信号を、制御信号発生部１１０及び予備電源制御部１０８に与える。なお、例えば降圧電源回路部１０５への供給電圧値が各デバイスの使用電圧値以上であれば、降圧電源回路部１０５は各デバイスで使用する電圧を正常に生成できる。
【００５０】
ここで、経路切替回路部１０４自体の故障を検出することは難しい。経路切替回路部１０４が故障して（例えば経路ｄの短絡）、経路ｃと経路ｄの両方が経路切替回路部１０４に接続したとする。この場合、昇圧電源回路部１０２に過度な負荷が生じて、昇圧電源回路部１０２の構成部品の発熱による発煙など安全性に問題が生じる。
【００５１】
この実施形態では、ＯＮＵ装置１の安全性を確保するために、Ｄｙｉｎｇ  Ｄａｓｐ信号の送信完了後に、昇圧電源回路部１０２で電圧降下が生じているか否かを第２の電圧監視回路部１０７が判断する。
【００５２】
予備電源制御部１０８は、第１の電圧監視回路部１０６による監視結果と、第２の電圧監視回路部１０７による監視結果とに基づいて、昇圧電源回路部１０２の動作を停止させる動作停止信号を、昇圧電源回路部１０２に与える。より具体的には、予備電源制御部１０８は、論理回路により（すなわち、ハードウェアにより）、第１の電圧監視回路部１０６からの信号と、第２の電圧監視回路部１０７からの信号との論理をとり、昇圧電源回路部１０２に動作停止信号を与える。
【００５３】
経路切替回路部１０４自体の故障により、経路ｃ及び経路ｄの両方が経路切替回路部１０４に接続した場合、予備電源１０３から供給される電圧の供給電圧値は低下する。これは、近年のＯＮＵ装置１の低コスト化を図るために、昇圧電源回路部１０２は予備電源１０３への充電のために必要な電力しか供給しないものが使用される傾向がある。そのため、昇圧電源回路部１０２は、予備電源１０３の充電のみならず、降圧電源回路１０５を介して各デバイスが使用する電力を供給しようとする。そうすると、昇圧電源回路部１０２は、元来想定する電圧値まで昇圧できなくなり、電圧降下が生じる。第２の電圧監視回路部１０７は、上記のような昇圧電源回路部１０２の電圧降下を検出する。
【００５４】
次に、第１の電圧監視回路部１０６による監視結果が、電源回路部１０５が各デバイスで使用する電圧を正常に生成できないものである場合、各デバイス（特に電気回路部１０９）が誤動作しないための動作停止信号と、第２の電圧監視回路部１０７の電圧降下の検知信号とが予備電源制御部１０８に与えられて論理がとられ、昇圧電源回路部１０２の動作を停止させる信号を生成する。これにより、昇圧電源回路部１０２の動作が停止されるので、経路切替回路部１０４が故障し、経路ｃ及び経路ｄの両方が接続された場合においても、ＯＮＵ装置１の安全性を確保することができる。
【００５５】
（Ａ−３）第１の実施形態の動作
次に、第１の実施形態に係る電源供給制御装置１０における処理の動作を説明する。第１の実施形態は、昇圧電源回路部１０２の停止をハードウェア構成で実現する。
【００５６】
図４は、第１の実施形態に係る電源供給制御装置１０における電源供給制御処理の動作を示すフローチャートである。
【００５７】
ＯＮＵ装置１に外部電源１０１から給電が開始される（Ｓ１０１）。経路ｃへの切り替えにより、降圧電源回路部１０５から各デバイスへの電圧を降圧して給電する（Ｓ１０２）。これに並行して、外部電源１０１からの供給電力は昇圧電源回路部１０２および予備電源１０３にも供給される。即ち、昇圧電源回路部１０２によって供給電圧が昇圧され（Ｓ１０３）、予備電源１０３へ電力が充電される（Ｓ１０４）。
【００５８】
次に、ＯＮＵ装置１への供給電源が切断されているか否かを、第１の電圧監視回路部１０６が判定する（Ｓ１０５）。例えば、電源断が発生すると電圧の低下が起こり、その後、経路切替回路部１０４による経路切替がなされ、電圧が上がる。第１の電圧監視回路部１０６は、このような電圧の変化が起きたとき、電源断と判定する。また、第２の電圧監視回路部１０７は、経路切替回路部１０４自体に故障が発生したか否かを判定する（Ｓ１０６）。上述のとおり、経路切替回路部１０４に故障が発生すると昇圧電源回路部１０２の電圧降下が発生する。従って、第２の電圧監視回路部１０７は、第１の電圧監視部１０６の判定結果を踏まえることにより、昇圧電源回路部１０２の電圧降下の有無に基づいて、経路切替回路部１０４に故障が発生したか否かを判定することができる。
【００５９】
供給電源が切断されておらず（Ｓ１０５：Ｎｏ）、経路切替回路部１０４の故障が無い場合（Ｓ１０６：Ｎｏ）、ＯＮＵ１装置は通常動作を行う。なお、第１の電圧監視回路部１０６による供給電源の切断と、第２の電圧監視回路部１０７による経路切替回路部１０４の故障の監視は継続して行われる。
【００６０】
供給電源が切断された場合（Ｓ１０５：Ｙｅｓ）、経路切替回路部１０４が経路ｃから予備電源１０３へ充電している昇圧電源側の経路ｄに切り替えを実施する（Ｓ１０７）。経路ｄへの切替え後に、昇圧電源回路部１０２と予備電源１０３からの供給電圧の電圧降下を第２の電圧監視回路部１０７が検出し（Ｓ１０８）、Ｄｙｉｎｇ  Ｇａｓｐ信号が生成されて送信される（Ｓ１０９）。
【００６１】
Ｄｙｉｎｇ  Ｇａｓｐ信号が送信完了した後に、降圧電源回路部１０５が各デバイスに給電する電圧を生成できるか否かを、第１の電圧監視回路部１０６が判定する（Ｓ１１０）。生成可能な場合は（Ｓ１１０：Ｙｅｓ）、予備電源制御部１０８で第１の電圧監視回路部１０６と第２の電圧監視回路部１０７との論理をとって昇圧電源回路部１０２を停止する動作停止信号を生成し、昇圧電源回路部１０２に送信（Ｓ１１３）する。これを受けて、昇圧電源回路部１０２は動作を停止する（Ｓ１１４）。
【００６２】
続いて、降圧電源回路部１０５が各デバイスに給電する電圧を生成不可能になると（Ｓ１１０：Ｎｏ）、第１の電圧監視回路部１０６が電気回路部１０９を停止する動作停止信号を生成して、制御信号発生部１１０に送信する（Ｓ１１１）。制御信号発生部１１０は、ＯＮＵ装置１をリセットした状態に移行させてＯＮＵ装置１の動作を停止する（Ｓ１１２）。
【００６３】
次に、供給電源が切断されておらず（Ｓ１０５：Ｎｏ）、経路切替回路部１０４の故障が発生し（Ｓ１０６：Ｙｅｓ）、経路ｃ及び経路ｄの両方が経路切替回路部１０４に接続された場合は、昇圧電源回路部１０２の電圧降下が発生したことを第２の電圧監視回路部１０７が判定し（Ｓ１０８）、Ｄｙｉｎｇ  Ｇａｓｐ信号が生成されて、送信される（Ｓ１０９）。
【００６４】
つまり、経理切替回路部１０４による電源経路の切り替えがなされていないにもかかわらず、昇圧電源回路部１０２の電圧降下が検出された場合には、経路切替回路部１０４の故障が発生し、経路ｃ及び経路ｄの両方が経路切替回路部１０４に接続されたと捉えている。この場合に、まず、Ｄｙｉｎｇ  Ｇａｓｐ信号の生成及び送信を行ない、Ｄｙｉｎｇ  Ｇａｓｐ信号の送信完了後に以下のような処理を行なう。
【００６５】
降圧電源回路部１０５が各デバイスに給電する電圧を生成可能か否かを、第１の電圧監視回路部１０６が判定する（Ｓ１１０）。生成可能な場合は（Ｓ１１０：Ｙｅｓ）、予備電源制御部１０８で第１の電圧監視回路部１０６と第２の電圧監視回路部１０７との論理をとって昇圧電源回路部１０２を停止する信号を生成して送信し（Ｓ１１３）、昇圧電源回路部１０２を動作停止させる（Ｓ１１４）。生成不可能な場合は（Ｓ１１０：Ｎｏ）、第１の電圧監視回路部１０６が動作停止信号を制御信号発生部１１０に送信する（Ｓ１１１）。制御信号発生部１１０は、ＯＮＵ装置１をリセットした状態に移行させてＯＮＵ装置１の動作を停止する（Ｓ１１２）。
【００６６】
（Ａ−４）第１の実施形態の効果
以上のように、第１の実施形態によれば、経路切替回路部の故障を検知し、昇圧電源回路部を安全に停止する方法として、Ｄｙｉｎｇ  Ｇａｓｐ信号を発出するための電圧監視回路部と、降圧電源回路部が動作可能な電圧範囲であることを検出するための電圧監視回路部の信号とを利用して、経路切替回路部が故障して通常の電源経路と昇圧電源側の経路が両方接続された場合に、昇圧電源回路部を停止させる。
【００６７】
また、第１の実施形態によれば、Ｄｙｉｎｇ  Ｇａｓｐ信号の送信完了の後に、昇圧電源回路部を停止させる。
【００６８】
これらの方法を用いた場合、コストの上昇を抑えながら装置の発煙などの危険を防止する安全回路を実現できる。
【００６９】
（Ｂ）第２の実施形態
次に、本発明に係る電源供給制御装置、電源供給制御プログラム及び通信装置の第２実施形態を、図面を参照しながら詳細に説明する。
【００７０】
第２の実施形態も、光通信システムを構成する光通信装置としてのＯＮＵ装置に搭載される電源供給制御装置に、本発明を適用する場合を例示する。
【００７１】
第１の実施形態では、論理回路によるハードウェアによりＯＮＵ装置１の安全面を解決する場合を例示した。これに対して、第２の実施形態は、ソフトウェア処理によりＯＮＵ装置１の安全面を解決する場合を例示する。
【００７２】
（Ｂ−１）第２の実施形態の構成
図５は、第２の実施形態に係るＯＮＵ装置の内部構成と、ＯＮＵ装置の接続構成とを示す構成図である。
【００７３】
図５において、第１の実施形態に係る図１の構成要素と同一又は対応するものには、同一符号を付している。
【００７４】
図５において、ＯＮＵ装置１の電源供給制御装置１０Ａは、昇圧電源回路部１０２、予備電源１０３、経路切替回路部１０４、降圧電源回路部１０５、第１の電圧監視回路部１０６、第２の電圧監視回路部１０７、予備電源制御部１０８ａ、電気回路部１０９を有する。
【００７５】
電気回路部１０９における制御信号発生部１１０は、第１の実施形態と同様に、制御信号を生成すると共に、第１の電圧監視回路部１０６の監視結果と、第２の電圧監視回路部１０７の監視結果とに基づいて、昇圧電源回路部１０２の動作を停止させる予備電源制御部１０８ａを有する。
【００７６】
第２の実施形態の電源供給制御装置１０Ａは、第１の実施形態と同様に、経路ｄへの切り替え後、第２の電圧監視回路部１０７により昇圧電源回路部１０２の電圧値の低下を検出し、Ｄｙｉｎｇ  Ｇａｓｐ信号が送信されることを利用して、Ｄｙｉｎｇ  Ｇａｓｐ信号がＯＬＴ装置２へ送信完了してから、昇圧電源回路部１０２を停止させる信号を生成して送信し、停止させる仕組みを持つ。
【００７７】
第２の実施形態によれば、論理回路としての予備電源制御部１０８が不要となるため、より低コストの回路部が実現可能である。
【００７８】
（Ｂ−２）第２の実施形態の動作
図６は、第２の実施形態に係る電源供給制御装置１０Ａにおける電源供給制御処理の動作を示すフローチャートである。図６において、第１の実施形態の図４と同一又は対応する処理には同一符号を付している。
【００７９】
ＯＮＵ装置１に外部電源１０１から給電が開始される（Ｓ１０１）。経路ｃへの切り替えにより、降圧電源回路部１０５から各デバイスへの電圧を降圧して給電する（Ｓ１０２）。これに並行して、外部電源１０１からの供給電力は昇圧電源回路部１０２および予備電源１０３にも供給される。即ち、昇圧電源回路部１０２によって供給電圧が昇圧され（Ｓ１０３）、予備電源１０３へ電力が充電される（Ｓ１０４）。
【００８０】
供給電源が切断されておらず（Ｓ１０５：Ｎｏ）、電源の経路切替回路部１０４の故障が無い場合（Ｓ１０６：Ｎｏ）は、ＯＮＵ装置１は通常動作する。
【００８１】
供給電源が切断された場合（Ｓ１０５：Ｙｅｓ）、Ｓ１０７〜Ｓ１０９の動作が実行される。Ｓ１０７〜Ｓ１０９の動作は第１の実施形態と同様であるので説明を省略する。
【００８２】
次に、降圧電源回路部１０５が、各デバイスに給電する電圧が生成できるか否かを、第１の電圧監視回路部１０６が判定する（Ｓ１１０）。
【００８３】
生成可能な場合（Ｓ１１０：Ｙｅｓ）、予備電源制御部１０８ａは、Ｄｙｉｎｇ  Ｇａｓｐ信号が送信完了したかどうかを判定する（Ｓ２０１）。
【００８４】
送信完了していない場合は（Ｓ２０１：Ｎｏ）、予備電源制御部１０８ａはＤｙｉｎｇ  Ｇａｓｐ信号の送信が完了するまで監視を継続する。送信完了している場合は（Ｓ２０１：Ｙｅｓ）、予備電源制御部１０８ａは昇圧電源回路部１０２を停止する動作停止信号を生成して（Ｓ２０２）、動作停止信号を昇圧電源回路部１０２に送信する。これを受けて、昇圧電源回路部１０２は動作を停止する（Ｓ２０３）。
【００８５】
続いて、降圧電源回路部１０５が各デバイスに給電する電圧を生成不可能になると（Ｓ１１０：Ｎｏ）、第１の電圧監視回路部１０６が電気回路部１０９を停止する動作停止信号を生成して、制御信号発生部１１０に動作停止信号を送信する（Ｓ１１１）。制御信号発生部１１０は、ＯＮＵ装置１をリセットした状態に移行させて装置の動作を停止する（Ｓ１１２）。
【００８６】
供給電源が切断されておらず（Ｓ１０５：Ｎｏ）、経路切替回路部１０４の故障が発生し（Ｓ１０６：Ｙｅｓ）、経路ｃ及び経路ｄの両方が経路切替回路部１０４に接続された場合は、昇圧電源回路部１０２の電圧降下が発生したことを第２の電圧監視回路部が判定し（Ｓ１０８）、Ｄｙｉｎｇ  Ｇａｓｐ信号が生成されて、送信される（Ｓ１０９）。
【００８７】
降圧電源回路部１０５が各デバイスに給電する電圧を生成可能か否かを、第１の電圧監視回路部１０６が判定する（Ｓ１１０）。
【００８８】
生成可能な場合は（Ｓ１１０：Ｙｅｓ）、予備電源制御部１０８ａは、Ｄｙｉｎｇ  Ｇａｓｐ信号が送信完了したか否かを判定する（Ｓ２０１）。
【００８９】
送信完了していない場合は（Ｓ２０１：Ｎｏ）、予備電源制御部１０８ａは、送信が完了するまで監視を継続する。送信完了している場合は（Ｓ２０１：Ｙｅｓ）、予備電源制御部１０８ａは、昇圧電源回路部１０２を停止する動作停止信号を生成して、昇圧電源回路部１０２に動作停止信号を送信し、昇圧電源回路部１０２を動作停止させる（Ｓ２０３）。
【００９０】
（Ｂ−３）第２の実施形態の効果
以上のように、第２の実施形態によっても、第１の実施形態と同様の効果を奏することに加えて、論理回路としての予備電源制御部を不要とするため、部品数を減らすことができ、コストを削減できる。
【００９１】
（Ｃ）他の実施形態
上述した実施形態においても種々の変形実施形態を言及したが、本発明は、以下の変形実施形態にも適用できる。
【００９２】
（Ｃ−１）上述した第１の実施形態は、論理回路で昇圧電源回路部の動作を制御する場合を例示し、上述した第２の実施形態では、ソフトウェア処理で昇圧電源回路部の動作を制御する場合を例示したが、上述した第１及び第２の実施形態の双方の構成を備えるものであっても良い。
【００９３】
（Ｃ−２）上述した第１及び第２の実施形態におけるＯＮＵ装置の各デバイスの回路構成は、第１及び第２の実施形態で説明した動作を行うことができれば広く設計することができ、特に限定されるものではない。
【００９４】
（Ｃ−３）上述した第１及び第２の実施形態では、ＯＮＵ装置における構成を説明したが、ＯＮＵ装置以外の通信端末装置にも適用できる。また、経路切替回路部が２系統の電源経路を切り替える場合を例示したが、３系統以上の経路を切り替えるものであっても良い。
【符号の説明】
【００９５】
１…ＯＮＵ装置、２…ＯＬＴ装置、３…加入者端末、１０１…外部電源、１０及び１０Ａ…電源供給制御装置、１０２…昇圧電源回路部、１０３…予備電源、１０４…経路切替回路部、１０５…降圧電源回路部、１０６…第１の電圧監視回路部、１０７…第２の電圧監視回路部、１０８及び１０８ａ…予備電源制御部。
【図１】
0006436034.tif 000002
【図２】
0006436034.tif 000003
【図３】
0006436034.tif 000004
【図４】
0006436034.tif 000005
【図５】
0006436034.tif 000006
【図６】
0006436034.tif 000007